(57)【要約】【課題】本発明は、複数の筐体が開閉自在に結合されてなるとともに上外に静電パッドが設けられている電子機器であって、開閉動作時、着信時等に静電パッドの誤入力を防止することができる電子機器を提供する。【解決手段】開閉自在に形成された電子機器であって、接触により指示を入力する入力手段と、開閉動作の開始を検出する開閉開始検出手段（Ｓ２０１）と、開閉動作の終了を検出する開閉終了検出手段（Ｓ２０５）と、開閉動作の開始が検出されてから、開閉動作の終了が検出されるまでの間、入力手段による入力を無効にする入力制御手段（Ｓ２０３、Ｓ２０７）と、を備えた。【選択図】  図１０
2010114832.tif 000002
【特許請求の範囲】
【請求項１】
少なくとも２つの筐体を備え、それらの筐体間の関係が少なくとも第１の状態とその第１の状態とは異なる第２の状態とに遷移可能な電子機器であって、
接触により指示を入力する入力手段と、
前記電子機器における前記第１の状態から前記第２の状態への遷移動作の開始を検出する遷移開始検出手段と、
前記電子機器における前記第１の状態から前記第２の状態への遷移動作の終了を検出する遷移終了検出手段と、
前記遷移開始検出手段により遷移動作の開始が検出されてから、前記遷移終了検出手段により遷移動作の終了が検出されるまでの間、前記入力手段による入力を無効にする入力制御手段と、
を備えたことを特徴とする電子機器。
【請求項２】
開閉自在に形成された電子機器であって、
接触により指示を入力する入力手段と、
前記電子機器における開閉動作の開始を検出する開閉開始検出手段と、
前記電子機器における開閉動作の終了を検出する開閉終了検出手段と、
前記開閉開始検出手段により開閉動作の開始が検出されてから、前記開閉終了検出手段により開閉動作の終了が検出されるまでの間、前記入力手段による入力を無効にする入力制御手段と、
を備えたことを特徴とする電子機器。
【請求項３】
前記入力制御手段は、前記開閉開始検出手段により閉塞動作の開始が検出されてから、前記開閉終了検出手段により閉塞動作の終了が検出されるまでの間、前記入力手段による入力を無効にすることを特徴とする請求項２記載の電子機器。
【請求項４】
少なくとも２つの筐体を備え、それらの筐体間の関係が少なくとも第１の状態とその第１の状態とは異なる第２の状態とに遷移可能な電子機器であって、
接触により指示を入力する入力手段と、
前記電子機器における前記第１の状態から前記第２の状態への遷移動作の開始を検出する遷移開始検出手段と、
前記入力手段による入力が開始されてから終了されるまでに、前記遷移開始検出手段により前記第１の状態から前記第２の状態への遷移動作の開始が検出された場合、この入力を無効にする入力制御手段と、
を備えたことを特徴とする電子機器。
【請求項５】
開閉自在に形成された電子機器であって、
接触により指示を入力する入力手段と、
前記電子機器における開閉動作の開始を検出する開閉開始検出手段と、
前記入力手段による入力が開始されてから終了されるまでに、前記開閉開始検出手段により開閉動作の開始が検出された場合、この入力を無効にする入力制御手段と、
を備えたことを特徴とする電子機器。
【請求項６】
前記入力制御手段は、前記入力手段による入力が開始されてから終了されるまでに、前記開閉開始検出手段により閉塞動作の開始が検出された場合、前記入力手段による入力を無効にすることを特徴とする請求項５記載の電子機器。
【請求項７】
少なくとも２つの筐体を備え、それらの筐体間の関係が開かれた第１の状態と閉じられた第２の状態とに遷移可能な電子機器であって、
接触により指示を入力する入力手段と、
前記電子機器の状態が前記閉じられた第２の状態であり、かつ着信状態にある間、前記入力手段による入力を無効にする入力制御手段と、
を備えたことを特徴とする電子機器。
【請求項８】
前記電子機器が着信状態にある間、入力無効の解除指示を受け付ける受付手段を備え、
前記入力制御手段は、前記受付手段により解除指示が受け付けられた場合、前記入力手段による入力を有効にすることを特徴とする請求項７記載の電子機器。
【発明の詳細な説明】
【技術分野】
【０００１】
本発明は、開閉自在に形成されるとともに、接触を検知する静電パッドを備えた電子機器であって、具体的には、電子機器の開閉状態に基づいて静電パッドを制御する電子機器に関する。
【背景技術】
【０００２】
現在、携帯電話機等の電子機器の多機能化に伴い、複数の筐体が開閉自在に結合されてなるスライド型、クラムシェル型、スイーベル型等、機能性及び携帯性に優れた形状をもつ電子機器が開発されるようになってきた。このような電子機器においてユーザが所定の機能を起動使用とした場合に、その機能が起動されるまでの操作が煩雑になってしまうという問題があった。
【０００３】
そこで、カメラやメール機能を備えた開閉自在な携帯電話機において、操作の煩雑さを軽減するとともに所望の機能の起動までの待ち時間を短縮した携帯電話機が提案されている（特許文献１参照）。この携帯電話機は、開閉動作がされたことを検出するセンサを備え、特定キーが押下されながら開閉動作がされたことを検出した際に、カメラ機能やメール機能等の所定機能を起動することにより、ユーザが簡便な操作できるようにしたものである。
【特許文献１】特開２００７−２１５２１８号公報
【発明の開示】
【発明が解決しようとする課題】
【０００４】
複数の筐体がスライド自在に結合されてなるスライド型の電子機器（例えば携帯電話機）において、上外に静電パッドが設けられていた場合に、ユーザがこの携帯電話機の各々の筐体を相互にスライドさせて開閉動作を行おうとしたときに、誤って携帯電話機を保持する指等が静電パッドに接触してしまうことがある。この場合、ユーザが携帯電話機の開閉のみを意図しているのにも関わらず、携帯電話機は、静電パッドに接触があったことにより、静電パッドによる入力に伴った動作を行ってしまう。この動作はユーザが意図していない動作である。
【０００５】
また、このような携帯電話機が鞄に収納されている状態で携帯電話機に着信があった際に、ユーザが携帯電話機を鞄から取り出そうとしたときに、誤ってユーザの指や鞄の収納物等が静電パッドに接触してしまうことがある。この場合、ユーザによるこの着信に対して応答したい、拒否したい等の意図に関わらず、静電パッドに接触があったことにより、携帯電話機は静電パッドによる入力に伴った動作を行ってしまう。
【０００６】
本発明は、上記課題を鑑みてなされてものであり、複数の筐体が開閉自在に結合されてなるとともに上外に静電パッドが設けられている電子機器であって、開閉動作時、着信時等に静電パッドの誤入力を防止することができる電子機器を提供することを目的とする。
【課題を解決するための手段】
【０００７】
上記課題を解決するために、本発明に係る電子機器は、少なくとも２つの筐体を備え、それらの筐体間の関係が少なくとも第１の状態とその第１の状態とは異なる第２の状態とに遷移可能な電子機器であって、接触により指示を入力する入力手段と、前記電子機器における前記第１の状態から前記第２の状態への遷移動作の開始を検出する遷移開始検出手段と、前記電子機器における前記第１の状態から前記第２の状態への遷移動作の終了を検出する遷移終了検出手段と、前記遷移開始検出手段により遷移動作の開始が検出されてから、前記遷移終了検出手段により遷移動作の終了が検出されるまでの間、前記入力手段による入力を無効にする入力制御手段と、を備えたことを特徴とする。
【０００８】
また、本発明に係る電子機器は、少なくとも２つの筐体を備え、それらの筐体間の関係が少なくとも第１の状態とその第１の状態とは異なる第２の状態とに遷移可能な電子機器であって、接触により指示を入力する入力手段と、前記電子機器における前記第１の状態から前記第２の状態への遷移動作の開始を検出する遷移開始検出手段と、前記入力手段による入力が開始されてから終了されるまでに、前記遷移開始検出手段により前記第１の状態から前記第２の状態への遷移動作の開始が検出された場合、この入力を無効にする入力制御手段と、を備えたことを特徴とする。
【０００９】
また、本発明に係る電子機器は、少なくとも２つの筐体を備え、それらの筐体間の関係が開かれた第１の状態と閉じられた第２の状態とに遷移可能な電子機器であって、接触により指示を入力する入力手段と、前記電子機器の状態が前記閉じられた第２の状態であり、かつ着信状態にある間、前記入力手段による入力を無効にする入力制御手段と、を備えたことを特徴とする。
【発明の効果】
【００１０】
本発明に係る電子機器によると、複数の筐体が開閉自在に結合されてなるとともに上外に静電パッドが設けられている電子機器において、開閉動作時、着信時等に静電パッドの誤入力を防止することが可能となる。
【発明を実施するための最良の形態】
【００１１】
〔第１実施形態〕
本発明に係る電子機器の第１実施形態について、図１乃至図１１を参照しながら説明する。本発明に係る電子機器として、複数の筐体が相互にスライド自在に結合されてなる開閉自在の携帯電話機１を例にあげて説明する。
【００１２】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（例えば長手方向）に相互に所定長さだけスライド可能なように結合されていて、上筐体１０を下筐体１１に対してスライドさせることにより、閉じた状態から開いた状態に、あるいは開いた状態から閉じた状態に変形する。
【００１３】
上筐体１０の外面（下筐体１１に対面しない側の面）には、文字や画像等からなる画面を表示するためのディスプレイ１２、音声を出力するためのスピーカ１３が設けられている。また、上筐体１０の外面には、接触を感知するセンサでありユーザが指等で触れることにより指示を入力する複数の静電パッド１４、ユーザが回転させることによりその回転方向や回転角度に基づいて指示を入力する回転キー１５が設けられている。また、回転キー１５の中心には、押下されることにより指示を入力する操作キー１５ａが設けられている。
【００１４】
静電パッド１４は、パッドの下に微小な電極が多数配置されることにより構成され、電荷が変化した位置を検出できるものである。これらの電極に、絶縁体であるパッドをはさんでユーザの指や専用ペン等の電気を通す導体が接近すると、電極と指を極板とするコンデンサが形成される。電極と指からなるコンデンサには非常に微量であるが電荷が蓄えられるため、これを電極側で検出することによって指の接触が検知される。
【００１５】
これらのディスプレイ１２、スピーカ１３、静電パッド１４、及び回転キー１５は、携帯電話機１が閉じた状態であっても開いた状態であっても外部に露出するように設けられている。よって、携帯電話機１が閉じた状態であっても開いた状態であっても、ユーザはディスプレイ１２の画面を視認したり静電パッド１４や回転キー１５を介して指示を入力したりすることができる。
【００１６】
下筐体１１の内面（上筐体１０に対面する側の面）には、音声を集音するためのマイクロフォン１６、ユーザが押下することにより指示を入力するための複数の操作キー１７が設けられている。これらのマイクロフォン１６や操作キー１７は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１７を介して指示を入力することができるが、携帯電話機１が閉じた状態のときには、ユーザは操作キー１７を介して指示を入力することができない。ユーザは携帯電話機１を開いた状態に変形させてから操作キー１７を介して指示を入力する。
【００１７】
下筐体１１の側面には、ユーザが押下することにより指示を入力するための複数のサイドキー１７ａが設けられている。これらのサイドキー１７ａは、携帯電話機１が閉じた状態であっても開いた状態であっても外部に露出するように設けられている。よって、携帯電話機１が閉じた状態であっても開いた状態であっても、ユーザはサイドキー１７ａを介して指示を入力することができる。
【００１８】
次に、携帯電話機１の機能について、図２に示すブロック図を用いて説明する。携帯電話機１は、図２に示すように、主制御部２０、電源回路部２１、操作入力制御部２２、表示制御部２３、音声制御部２４、通信制御部２５、記憶部２６、及び開閉検出部２７がバスによって相互に通信可能に接続されて構成されている。
【００１９】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する静電パッド制御処理、その他の様々な演算処理や制御処理等を行う。電源回路部２１はバッテリ等の電源供給源を具備し、ユーザによる操作キー１７を介した入力に基づいて電源のオン／オフ状態を切り替え、電源がオン状態の場合に電力供給源から各部に対して電力を供給して、携帯電話機１を動作可能にする。
【００２０】
操作入力制御部２２は静電パッド１４、回転キー１５、操作キー１７、及びサイドキー１７ａに対する入力インタフェースを備え、回転キー１５の回転、操作キー１７やサイドキー１７ａの押下等の操作を検出すると、それらの操作を示す信号を生成して、この信号を主制御部２０に伝送する。また操作入力制御部２０は、静電パッド１４における接触を検知すると、接触があった旨を示す接触検知信号を生成して主制御部２０に対して送信する。さらに操作入力制御部２０は、静電パッド１４の接触を検知した後に静電パッド１４の開放を検知すると、静電パッド１４の開放があった旨を示す開放検知信号を生成して主制御部２０に対して送信する。
【００２１】
表示制御部２３はディスプレイ１２に対する表示インタフェースを備え、主制御部２０の制御に基づいて、文書や画像等からなる画面をディスプレイ１２に表示する。
【００２２】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００２３】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてディスプレイ１２に表示されたり、または記憶部２６に記録されたりする。また通信制御部２５は、主制御部２０の制御に基づいて、マイクロフォン１６で集音された音声データや静電パッド１４や回転キー１５、操作キー１７等を介して入力されたデータや記憶部２６に記憶されたデータを取得すると、これらのデータに対してスペクトラム拡散処理を行い、基地局に対してアンテナ２５ａを介して送信する。
【００２４】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する静電パッド制御処理を行う際の処理プログラムは、例えばＲＯＭに記憶されているものとする。
【００２５】
開閉検出部２７は、複数のホールＩＣ３０ａ、３０ｂと単数のマグネット３１とを備え、ホールＩＣ３０ａ、３０ｂによりマグネット３１の磁気を検出することにより、携帯電話機１が閉じた状態にあるか開いた状態にあるかを検出する。ホールＩＣは、磁気センサであるホール素子とその出力信号をデジタル信号に変換するＩＣが１パッケージ化された素子であり、電源端子、ＧＮＤ端子、Ｓ極検出用の出力端子、Ｎ極検出用の出力端子の４端子で構成されている。
【００２６】
そして開閉検出部２７は、携帯電話機１の閉じた状態から開いた状態への変形が開始された場合に、開放開始検出信号を生成して主制御部２０に対して送信し、携帯電話機１が完全に開かれた状態に変形された場合に、開放終了検出信号を生成して主制御部２０に対して送信する。また開閉検出部２７は、携帯電話機１の開いた状態から閉じた状態への変形が開始された場合に、閉塞開始信号を生成して主制御部２０に対して送信し、携帯電話機１が完全に閉じた状態に変形された場合に、閉塞終了信号を生成して主制御部２０に対して送信する。
【００２７】
図３（Ａ）及び図３（Ｂ）は、上筐体１０及び下筐体１１に内蔵された複数のホールＩＣ３０ａ、３０ｂと磁石３１とを用いて、携帯電話機１の閉じた状態から開いた状態への変形を検知する方法を示す概略図である。また、図４（Ａ）及び図４（Ｂ）は、上筐体１０及び下筐体１１に内蔵された複数のホールＩＣ３０ａ、３０ｂと磁石３１とを用いて、携帯電話機１の開いた状態から閉じた状態への変形を検知する方法を示す概略図である。図３（Ａ）及び図３（Ｂ）、図４（Ａ）及び図４（Ｂ）に示すように、上筐体１０の所定位置にホールＩＣ３０ａ、３０ｂが設けられている。また、下筐体１１の所定位置にマグネット３１が設けられている。
【００２８】
これらのホールＩＣ３０ａ、３０ｂ、マグネット３１は、図３（Ａ）に示すように、携帯電話機１が閉じた状態のときに、ホールＩＣ３０ａとマグネット３１とが対面するとともに、図４（Ａ）に示すように、携帯電話機１が開いた状態のときに、ホールＩＣ３０ｂとマグネット３１とが対面する位置にそれぞれ設けられている。ホールＩＣ３０ａ、３０ｂが、例えばＳ／Ｎ極の磁気を検出するものである。
【００２９】
図３（Ａ）及び図３（Ｂ）に示すように、開閉検出部２７は、ホールＩＣ３０ａがマグネット３１の磁気を検出している間は、携帯電話機１は閉じた状態にあるものと判定でき、ホールＩＣ３０ａがマグネット３１の磁気を検出しなくなったことに基づいて、携帯電話機１の閉じた状態から開いた状態への変形が開始されたものと判定できる。また開閉検出部２７は、ホールＩＣ３０ｂがマグネット３１の磁気を検出したことに基づいて、携帯電話機１が完全に開いた状態に変形されたものと判定できる。
【００３０】
また、図４（Ａ）及び図４（Ｂ）に示すように、開閉検出部２７は、ホールＩＣ３０ｂがマグネット３１の磁気を検出している間は、携帯電話機１は開いた状態にあるものと判定でき、ホールＩＣ３０ｂがマグネット３１の磁気を検出しなくなったことに基づいて、携帯電話機１の開いた状態から閉じた状態への変形が開始されたものと判定できる。また開閉検出部２７は、ホールＩＣ３０ａがマグネット３１の磁気を検出したことに基づいて、携帯電話機１が完全に閉じた状態に変形されたものと判定できる。
【００３１】
なお、開閉検出部２７は、複数のホールＩＣ３０ａ、３０ｂと単数のマグネット３１の代わりに、単数のホールＩＣ３０と複数のマグネット３１ａ、３１ｂとを備えていても良い。図５（Ａ）及び図５（Ｂ）は、上筐体１０及び下筐体１１に内蔵されたホールＩＣ３０と複数の磁石３１ａ、３１ｂとを用いて、携帯電話機１の閉じた状態から開いた状態への変形を検知する別の方法を示す概略図である。また、図６（Ａ）及び図６（Ｂ）は、上筐体１０及び下筐体１１に内蔵されたホールＩＣ３０と複数の磁石３１ａ、３１ｂとを用いて、携帯電話機１の開いた状態から閉じた状態への変形を検知する方法を示す概略図である。
【００３２】
図５（Ａ）及び図５（Ｂ）、図６（Ａ）及び図６（Ｂ）に示すように、上筐体１０の所定位置にホールＩＣ３０が設けられている。また、下筐体１１の所定位置にマグネット３１ａ、３１ｂが設けられている。これらのホールＩＣ３０、マグネット３１ａ、３１ｂは、図５（Ａ）に示すように、携帯電話機１が閉じた状態のときに、ホールＩＣ３０とマグネット３１ａとが対面するとともに、図６（Ａ）に示すように、携帯電話機１が開いた状態のときに、ホールＩＣ３０とマグネット３１ｂとが対面する位置にそれぞれ設けられている。ホールＩＣ３０は、例えばＳ／Ｎ極の磁気を検出するものである。
【００３３】
図５（Ａ）及び図５（Ｂ）に示すように、開閉検出部２７は、ホールＩＣ３０がマグネット３１ａの磁気を検出している間は、携帯電話機１は閉じた状態にあるものと判定でき、ホールＩＣ３０がマグネット３１ａの磁気を検出しなくなったことに基づいて、携帯電話機１の閉じた状態から開いた状態への変形が開始されたものと判定できる。また開閉検出部２７は、ホールＩＣ３０がマグネット３１ｂの磁気を検出したことに基づいて、携帯電話機１が完全に開いた状態に変形されたものと判定できる。
【００３４】
図６（Ａ）及び図６（Ｂ）に示すように、開閉検出部２７は、ホールＩＣ３０がマグネット３１ｂの磁気を検出している間は、携帯電話機１は開いた状態にあるものと判定でき、ホールＩＣ３０がマグネット３１ｂの磁気を検出しなくなったことに基づいて、携帯電話機１の開いた状態から閉じた状態への変形が開始されたものと判定できる。また開閉検出部２７は、ホールＩＣ３０がマグネット３１ａの磁気を検出したことに基づいて、携帯電話機１が完全に閉じた状態に変形されたものと判定できる。
【００３５】
図７（Ａ）は、ユーザが携帯電話機１を開いた状態から閉じた状態へと変形させる直前の様子を示す概略図、図７（Ｂ）は、ユーザが携帯電話機１を開いた状態から閉じた状態へと変形させた直後の様子を示す概略図である。図７（Ａ）及び図７（Ｂ）に示すように、携帯電話機１が開閉自在であるとともに、閉じた状態において静電パッド１４が外部に露出している場合等に、ユーザが携帯電話機１を閉じた状態から開いた状態に変形させたときに、ユーザの指が静電パッド１４に誤って触れてしまうと、携帯電話機１がこの静電パッド１４における接触を感知して入力が行われたものと判断し、ユーザの意図に反した動作をしてしまう恐れがある。
【００３６】
そこで携帯電話機１は、静電パッド１４を介した入力があった場合に、この入力がユーザの意図によって入力されたものか、ユーザの意図に反して入力されたものかを判定し、ユーザの意図に反して入力されたと判断された場合にはこの入力を無効にする静電パッド制御処理を行う。携帯電話機１がこの静電パッド制御処理を行う際の手順を、図８、図１０に示すフローチャートに基づいて説明する。以下、例えば「ステップＳ１０１」を「Ｓ１０１」のように、「ステップ」の語句を省略する。
【００３７】
始めに、静電パッド１４による入力が開始された後で携帯電話機１の開閉の有無を判断する場合について、図８に示すフローチャートに基づいて説明する。まず主制御部２０は、静電パッド１４による入力があったか否かを判断する（Ｓ１０１）。この際、主制御部２０は、操作入力制御部２２から静電パッド１４の接触検知信号を受信したことに基づいて、静電パッド１４による入力があったものと判断する。静電パッド１４による入力がなかった場合（Ｓ１０１のＮｏ）は、主制御部２０は静電パッド１４による入力があるまで待機する。
【００３８】
静電パッド１４による入力があった場合（Ｓ１０１のＹｅｓ）は、主制御部２０は、携帯電話機１の開閉が検出されたか否かを判断する（Ｓ１０３）。この際、主制御部２０は、開閉検出部２７から開放開始検出信号または閉塞開始検出信号を受信したことに基づいて、開閉が検出されたものと判断する。
【００３９】
開閉が検出されていない場合（Ｓ１０３のＮｏ）は、主制御部２０は、静電パッド１４が開放されたか否かを判断する（Ｓ１０５）。この際、主制御部２０は、操作入力制御部２２から静電パッド１４の開放検知信号を受信したことに基づいて、静電パッド１４が開放されたものと判断する。静電パッド１４の開放が検出されていない場合（Ｓ１０５のＮｏ）は、ステップＳ１０３に戻って、主制御部２０は再び携帯電話機１の開閉が検出されたか否かを判断する。
【００４０】
静電パッド１４の開放が検出された場合（Ｓ１０５のＹｅｓ）は、携帯電話機１の開閉を伴わずに静電パッド１４による入力が完了されたため、主制御部２０は、この入力をユーザの意図による入力であると判定し、ステップＳ１０１にて検出された静電パッド１４による入力を有効にする（Ｓ１０７）。例えば図９に示すように、静電パッド１４による入力がされている間に、携帯電話機１の開閉がされなかった場合には、この入力が有効になる。
【００４１】
開閉が検出された場合（Ｓ１０３のＹｅｓ）は、携帯電話機１が開閉されている間に静電パッド１４の入力がされているため、主制御部２０は、この入力をユーザの意図に反した入力であると判定し、ステップＳ１０１にて検出された静電パッド１４による入力を無効にする（Ｓ１０９）。例えば図９に示すように、静電パッド１４による入力がされている間に、携帯電話機１の開閉がされた場合には、この入力が無効になる。
【００４２】
このようにして携帯電話機１は、静電パッド１４の接触を検知してから静電パッドの開放を検知するまでの間に、携帯電話機１の開閉を検出したときに、静電パッド１４による入力が誤入力であるものと判定して、この入力を無効にする。また携帯電話機１は、静電パッド１４の接触を検知してから静電パッドの開放を検知するまでの間に、携帯電話機１の開閉を検出しなかったときには、静電パッド１４による入力が正常の入力であるものと判定して、この入力を有効にする。これにより、ユーザが携帯電話機１を開閉する際に誤って静電パッド１４に触れてしまった場合であっても、携帯電話機１がこの入力に基づいてユーザが意図しない動作を行ってしまうことが防止される。
【００４３】
次に、携帯電話機１の開閉の有無に基づいて静電パッド１４の制御を行なう場合について、図１０に示すフローチャートに基づいて説明する。まず主制御部２０は、携帯電話機１の開閉が開始されたか否かを判断する（２０１）。この際、主制御部２０は、開閉検出部２７から開放開始検出信号または閉塞開始検出信号を受信したことに基づいて、携帯電話機１の開閉が開始されたものと判断する。
【００４４】
携帯電話機１の開閉が開始されていない場合（Ｓ２０１のＮｏ）は、主制御部２０は携帯電話機１の開閉が開始されるまで待機する。携帯電話機１の開閉が開始された場合（Ｓ２０１のＹｅｓ）は、主制御部２０は、静電パッド１４による入力を無効にする（Ｓ２０３）。
【００４５】
主制御部２０は、携帯電話機１の開閉が終了されたか否かを判断する（Ｓ２０５）。この際、主制御部２０は、開閉検出部２７から開放終了検出信号または閉塞終了検出信号を受信したことに基づいて、携帯電話機１の開閉が終了されたものと判断する。
【００４６】
携帯電話機１の開閉が終了されていない場合（Ｓ２０５のＮｏ）は、主制御部２０は携帯電話機１の開閉が終了されるまで、静電パッド１４による入力を無効にしたままで待機する。携帯電話機１の開閉が終了された場合（Ｓ２０５のＹｅｓ）は、主制御部２０は、静電パッド１４による入力を有効にする（Ｓ２０７）。
【００４７】
図１１（Ａ）は、携帯電話機１を閉じた状態から開いた状態に変形させたときの、静電パッド１４の入力動作を示す図である。図１１（Ａ）に示すように、携帯電話機１が閉じた状態にあるときには、静電パッド１４による入力が有効になっていて、携帯電話機１の開閉動作が開始されてから終了されるまでの間は、静電パッド１４による入力が無効になり、携帯電話機１が開いた状態に変形したときには、静電パッド１４による入力が再び有効になる。
【００４８】
また、図１１（Ｂ）は、携帯電話機１を開いた状態から閉じた状態に変形させたときの、静電パッド１４の入力動作を示す図である。図１１（Ｂ）に示すように、携帯電話機１が開いた状態にあるときには、静電パッド１４による入力が有効になっていて、携帯電話機１の開閉動作が開始されてから終了されるまでの間は、静電パッド１４による入力が無効になり、携帯電話機１が閉じた状態に変形したときには、静電パッド１４による入力が再び有効になる。
【００４９】
このようにして携帯電話機１は、携帯電話機１の開閉が開始されてから開閉が終了されるまでの間、静電パッド１４による入力を無効にする。これにより、ユーザが携帯電話機１を開閉する際に誤って静電パッド１４に触れてしまった場合であっても、携帯電話機１がこの入力に基づいてユーザが意図しない動作を行ってしまうことが防止される。
【００５０】
第１実施形態によると、複数の筐体が開閉自在に結合されてなるとともに上外に静電パッド１４が設けられている電子機器（携帯電話機１）において、開閉動作時に静電パッド１４の誤入力を防止することが可能となる。
【００５１】
〔第２実施形態〕
本発明に係る電子機器の第２実施形態について、図１２乃至図１５を参照しながら説明する。第２実施形態の電子機器として、第１実施形態と同様に、複数の筐体が相互にスライド自在に結合されてなる開閉自在の携帯電話機１を例に挙げて説明する。なお、第１実施形態と同一の構成には同一の符号を付し、重複する説明を省略する。
【００５２】
第２実施形態の携帯電話機１は、図１（Ａ）及び図１（Ｂ）に示すように、第１実施形態の携帯電話機１と同一の構成を備えている。また第２実施形態の携帯電話機１は、第１実施形態の携帯電話機１と同様に、図２に示すように、主制御部２０、電源回路部２１、操作入力制御部２２、表示制御部２３、音声制御部２４、通信制御部２５、記憶部２６、及び開閉検出部２７がバスによって相互に通信可能に接続されて構成されている。
【００５３】
第１実施形態では、携帯電話機１が閉じた状態から開いた状態に変形された時と、開いた状態から閉じた状態に変形された時との双方において、静電パッド１４による入力を無効にする例について説明したが、第２実施形態では、携帯電話機１が開いた状態から閉じた状態に変形された時には静電パッド１４による入力を無効にするが、携帯電話機１が閉じた状態から開いた状態に変形された時には静電パッド１４による入力を有効にする例について説明する。
【００５４】
ユーザが携帯電話機１を閉じる時に携帯電話機１を用いて何らかの操作を行うことは考えにくく、静電パッド１４による入力を受け付けてしまった場合には携帯電話機１が閉じられているのにも関わらず処理が実行されてしまう恐れがある。一方で、ユーザが携帯電話機１を開く時には、ユーザは携帯電話機１に用いて何らかの操作を行う意図があり、開くのと同時に静電パッド１４の操作を行うことが想定し得るからである。
【００５５】
携帯電話機１が、静電パッド１４を介した入力があった場合に、この入力がユーザの意図によって入力されたものか、ユーザの意図に反して入力されたものかを判定し、ユーザの意図に反して入力された場合にはこの入力を無効にする静電パッド制御処理を行う際の手順を、図１２、図１４に示すフローチャートに基づいて説明する。
【００５６】
始めに、静電パッド１４による入力が開始された後で携帯電話機１の開閉の有無を判断する場合について、図１２に示すフローチャートに基づいて説明する。まず主制御部２０は、静電パッド１４による入力があったか否かを判断する（Ｓ３０１）。この際、主制御部２０は、操作入力制御部２２から静電パッド１４の接触検知信号を受信したことに基づいて、静電パッド１４による入力があったものと判断する。静電パッド１４による入力がなかった場合（Ｓ３０１のＮｏ）は、主制御部２０は静電パッド１４による入力があるまで待機する。
【００５７】
静電パッド１４による入力があった場合（Ｓ３０１のＹｅｓ）は、主制御部２０は、携帯電話機１の開閉が検出されたか否かを判断する（Ｓ３０３）。この際、主制御部２０は、開閉検出部２７から開放開始検出信号または閉塞開始検出信号を受信したことに基づいて、開閉が検出されたものと判断する。
【００５８】
開閉が検出されていない場合（Ｓ３０３のＮｏ）は、主制御部２０は、静電パッド１４が開放されたか否かを判断する（Ｓ３０５）。この際、主制御部２０は、操作入力制御部２２から静電パッド１４の開放検知信号を受信したことに基づいて、静電パッド１４が開放されたものと判断する。静電パッド１４の開放が検出されていない場合（Ｓ３０５のＮｏ）は、ステップＳ３０３に戻って、主制御部２０は再び携帯電話機１の開閉が検出されたか否かを判断する。
【００５９】
静電パッド１４の開放が検出された場合（Ｓ３０５のＹｅｓ）は、携帯電話機１の開閉を伴わずに静電パッド１４による入力が完了されたため、主制御部２０は、この入力をユーザの意図による入力であると判定し、ステップＳ３０１にて検出された静電パッド１４による入力を有効にする（Ｓ３０７）。例えば図１３に示すように、静電パッド１４による入力がされている間に、携帯電話機１が開いた状態から閉じた状態への変形がされなかった場合には、この入力が有効になる。
【００６０】
開閉が検出された場合（Ｓ３０３のＹｅｓ）は、主制御部２０は、この開閉が開いた状態から閉じた状態への変形であるか否かを判断する（Ｓ３０９）。この際、主制御部２０は、ステップＳ３０３にて開閉検出部２７から閉塞開始検知信号を受信したことに基づいて、この開閉が開いた状態から閉じた状態への変形であるか否かを判断する。
【００６１】
携帯電話機１の開閉が閉じた状態から開いた状態への変形であった場合（Ｓ３０９のＮｏ）は、携帯電話機１が開かれている間に静電パッド１４による入力がされているため、主制御部２０は、この入力をユーザの意図による入力であると判定し、ステップＳ３０１にて検出された静電パッド１４による入力を有効にする（Ｓ３０７）。例えば図１３に示すように、静電パッド１４による入力がされている間に、携帯電話機１の開いた状態から閉じた状態への変形がされなかった場合には、この入力が有効になる。
【００６２】
携帯電話機１の開閉が開いた状態から閉じた状態への変形であった場合（Ｓ３０９のＹｅｓ）は、ユーザにより携帯電話機１が閉じられている間に静電パッド１４の入力がされているため、主制御部２０は、この入力をユーザの意図に反した入力であると判定し、ステップＳ３０１にて検出された静電パッド１４による入力を無効にする（Ｓ３１１）。例えば図１３に示すように、静電パッド１４による入力がされている間に、携帯電話機１の閉じた状態から開いた状態への変形がされた場合には、この入力が無効になる。
【００６３】
このようにして携帯電話機１は、静電パッド１４の接触を検知してから静電パッドの開放を検知するまでの間に、携帯電話機１の閉塞を検出したときに、静電パッド１４による入力が誤入力であるものと判定して、この入力を無効にする。また携帯電話機１は、静電パッド１４の接触を検知してから静電パッドの開放を検知するまでの間に、携帯電話機１の開放を検出したとき、及び、静電パッド１４の接触を検知してから静電パッドの開放を検知するまでの間に、携帯電話機１の開閉を検出しなかったときには、静電パッド１４による入力が正常の入力であるものと判定して、この入力を有効にする。これにより、ユーザが携帯電話機１を開閉する際に誤って静電パッド１４に触れてしまった場合であっても、携帯電話機１がこの入力に基づいてユーザが意図しない動作を行ってしまうことが防止される。
【００６４】
次に、携帯電話機１の開閉の有無に基づいて静電パッド１４の制御を行う場合について、図１４に示すフローチャートに基づいて説明する。まず主制御部２０は、携帯電話機１の開閉が開始されたか否かを判断する（４０１）。この際、主制御部２０は、開閉検出部２７から開放開始検出信号または閉塞開始検出信号を受信したことに基づいて、携帯電話機１の開閉が開始されたものと判断する。
【００６５】
携帯電話機１の開閉が開始されていない場合（Ｓ４０１のＮｏ）は、主制御部２０は携帯電話機１の開閉が開始されるまで待機する。携帯電話機１の開閉が開始された場合（Ｓ４０１のＹｅｓ）は、主制御部２０は、この開閉が開いた状態から閉じた状態への変形であるか否かを判断する（Ｓ４０３）。この際、主制御部２０は、ステップＳ４０１にて開閉検出部２７から閉塞開始検出信号を受信したことに基づいて、この開閉が開いた状態から閉じた状態への変形であるものと判断する。
【００６６】
携帯電話機１の開閉が閉じた状態から開いた状態への変形であった場合（Ｓ４０３のＮｏ）は、主制御部２０は、静電パッド１４による入力を有効にしたまま、静電パッド制御処理を終了する。
【００６７】
携帯電話機１の開閉が開いた状態から閉じた状態への変形であった場合（Ｓ４０３のＹｅｓ）は、主制御部２０は、静電パッド１４による入力を無効にする（Ｓ４０５）。そして主制御部２０は、携帯電話機１が完全に閉じた状態に変形されたか否かを判断する（Ｓ４０７）。この際、主制御部２０は、開閉検出部２７から閉塞終了検出信号を受信したことに基づいて、携帯電話機１が完全に閉じた状態に変形されたものと判断する。
【００６８】
携帯電話機１が完全に閉じた状態に変形されていない場合（Ｓ４０７のＮｏ）は、主制御部２０は携帯電話機１が完全に閉じた状態に変形されるまで、静電パッド１４による入力を無効にしたままで待機する。携帯電話機１が完全に閉じた状態に変形された場合（Ｓ４０７のＹｅｓ）は、主制御部２０は、静電パッド１４による入力を有効にする（Ｓ２０７）。
【００６９】
図１５（Ａ）は、携帯電話機１を閉じた状態から開いた状態に変形させたときの、静電パッド１４の入力動作を示す図である。図１５（Ａ）に示すように、携帯電話機１が閉じた状態にあるときには、静電パッド１４による入力が有効になっていて、携帯電話機１の開閉動作が開始されてから終了されるまでの間は、静電パッド１４による入力が無効になり、携帯電話機１が開いた状態に変形したときには、静電パッド１４による入力が再び有効になる。
【００７０】
また、図１５（Ｂ）は、携帯電話機１を開いた状態から閉じた状態に変形させたときの、静電パッド１４の入力動作を示す図である。図１５（Ｂ）に示すように、携帯電話機１が開いた状態にあるときから、携帯電話機１の開閉動作が開始されてから終了されるまでの間、携帯電話機１が閉じた状態に変形するまで、継続して静電パッド１４による入力が有効になっている。
【００７１】
このようにして携帯電話機１は、携帯電話機１の閉塞が開始されてから閉塞が終了されるまでの間、静電パッド１４による入力を無効にする。これにより、ユーザが携帯電話機１を閉じようとした際に誤って静電パッド１４に触れてしまった場合であっても、携帯電話機１が閉じられた状態においてこの入力に基づいてユーザが意図しない動作を行ってしまうことが防止される。
【００７２】
第２実施形態によると、複数の筐体が開閉自在に結合されてなるとともに上外に静電パッド１４が設けられている電子機器（携帯電話機１）において、開閉動作時に静電パッド１４の誤入力を防止することが可能となる。
【００７３】
〔第３実施形態〕
本発明に係る電子機器の第３実施形態について、図１６乃至図１７を参照しながら説明する。第３実施形態の電子機器として、第１実施形態及び第２実施形態と同様に、複数の筐体が相互にスライド自在に結合されてなる開閉自在の携帯電話機１を例に挙げて説明する。なお、第１実施形態及び第２実施形態と同一の構成には同一の符号を付し、重複する説明を省略する。
【００７４】
第３実施形態の携帯電話機１は、図１（Ａ）及び図１（Ｂ）に示すように、第１実施形態及び第２実施形態の携帯電話機１と同一の構成を備えている。また第３実施形態の携帯電話機１は、第１実施形態及び第２実施形態の携帯電話機１と同様に、図２に示すように、主制御部２０、電源回路部２１、操作入力制御部２２、表示制御部２３、音声制御部２４、通信制御部２５、記憶部２６、及び開閉検出部２７がバスによって相互に通信可能に接続されて構成されている。
【００７５】
第１実施形態及び第２実施形態では、携帯電話機１が閉じた状態から開いた状態に変形された時、または、開いた状態から閉じた状態に変形された時に、静電パッド１４による入力を無効にする例について説明したが、第３実施形態では、携帯電話機１に着信があった時に静電パッド１４による入力を無効にする例について説明する。
【００７６】
例えば携帯電話機１がユーザの鞄の中に収納されている状態で携帯電話機１に着信があった際に、ユーザが携帯電話機１を取り出そうとしたときに静電パッド１４が何かしらに接触して、携帯電話機１が静電パッド１４による入力を受け付けてしまう可能性がある。この場合には、ユーザの意図に反して携帯電話機１で通話が開始されてしまったり、または着信を拒否／転送してしまったりする。
【００７７】
そこで携帯電話機１は、着信があった際に、携帯電話機１が着信状態の間、静電パッド１４による入力を無効にし、通話が開始されたり着信が切断されたりすることにより着信状態でなくなったことに基づいて、静電パッド１４による入力を有効に戻す静電パッド制御処理を行う。携帯電話機１がこの静電パッド制御処理を行う際の手順を、図１６に示すフローチャート、図１７（Ａ）乃至図１７（Ｃ）に示す画面図に基づいて説明する。
【００７８】
まず主制御部２０は、携帯電話機１に着信があったか否かを判断する（Ｓ５０１）。携帯電話機１に着信がなかった場合（Ｓ５０１のＮｏ）は、主制御部２０は着信があるまで待機する。携帯電話機１に着信があった場合（Ｓ５０１のＹｅｓ）は、主制御部２０は、携帯電話機１が閉じた状態であるか否かを判断する（Ｓ５０２）。そして携帯電話機１が開いた状態であった場合（Ｓ５０２のＮｏ）は、主制御部２０は、静電パッド１４による入力を有効にする（Ｓ５０９）。
【００７９】
また、携帯電話機１が閉じた状態であった場合（Ｓ５０２のＹｅｓ）は、主制御部２０は、静電パッド１４による入力を無効にする（Ｓ５０３）。図１７（Ａ）は、着信状態において静電パッド１４による入力が無効にされた場合のディスプレイ１２の表示画面４０の一例である。図１７（Ａ）に示すように、表示画面４０には、着信情報を表示してユーザの着信状態を通知するための着信通知欄４１、メニューを表示するためのメニューボタン４２が表示されている。このとき、静電パッド１４による入力が無効であるため、静電パッド１４に対応するボタンは表示されていない。なお、メニューボタン４２は静電パッド１４ではない所定の操作キー１７または回転キー１５の中心の操作キー１５ａが割り当てられると良い。
【００８０】
図１７（Ｂ）は、着信状態においてメニューが選択された場合のディスプレイ１２の表示画面４０の一例である。ユーザによりメニューボタン４２が選択された場合には、主制御部２０は、図１７（Ｂ）に示すように、表示画面４０に操作一覧提示欄４３を表示する。操作一覧提示欄４３において、例えばこの着信に対する「応答」、「拒否」、「転送」等の操作が提示される。ユーザは、回転キー１５や操作キー１５ａ、サイドキー１７ａ等を用いて操作を選択する。
【００８１】
主制御部２０は、解除操作が行われたか否かを判断する（Ｓ５０５）。この際、主制御部２０は、予め設定された操作（例えば携帯電話機１の開閉操作、特定の操作キー１７の押下、特定のサイドキー１７ａの押下等）がされたことに基づいて、解除操作が行われたものと判断する。
【００８２】
解除操作が行われていない場合（Ｓ５０５のＮｏ）は、主制御部２０は、携帯電話機１が閉じた状態のままであるか否かを判断する（Ｓ５０６）。そして、携帯電話機１が閉じた状態から開いた状態に変形していた場合（Ｓ５０６のＹｅｓ）、主制御部２０は、静電パッド１４による入力を有効にする（Ｓ５０９）。
【００８３】
また、携帯電話機１が閉じた状態のままであった場合（Ｓ５０６のＮｏ）、主制御部２０は、次に、着信状態でなくなったか否かを判断する（Ｓ５０７）。この際、主制御部２０は、例えばユーザの指示により着信に応答して通話が開始されたこと、着信元によりこの着信が切断されたこと等に基づいて、着信状態でなくなったものと判断する。着信状態でなくなっていない場合（Ｓ５０７のＮｏ）は、ステップＳ５０５に戻って、主制御部２０は再び解除操作が行われたか否かを判断する。
【００８４】
解除操作が行われた場合（Ｓ５０５のＹｅｓ）、または、着信状態でなくなった場合（Ｓ５０７のＹｅｓ）は、主制御部２０は、静電パッド１４による入力を有効にする（Ｓ５０９）。図１７（Ｃ）は、携帯電話機１に着信があったときに解除操作がされた場合、または携帯電話機１が着信中に閉じた状態から開いた状態に遷移した場合のディスプレイ１２の表示画面４０の一例を示す図である。このとき主制御部２０は、図１７（Ｃ）に示すように、着信通知欄４１、メニューボタン４２に加えて、この着信を拒否するための拒否ボタン４４、この着信を転送するための転送ボタン４５を表示する。これらの拒否ボタン４４や転送ボタン４５は、静電パッド１４に対応するボタンであり、ユーザは静電パッド１４を触れることによりボタンを選択して、指示を入力する。ユーザが静電パッド１４に触れて拒否ボタン４４または転送ボタン４５を選択した場合には、主制御部２０は、この選択に基づいて、この着信を拒否したり転送したりする。
【００８５】
このようにして携帯電話機１は、着信があった際に、携帯電話機１が閉じた状態で、かつ着信状態が継続している間は静電パッド１４による入力を無効にしていて、この着信状態において着信に応答したり、相手から着信が切断されたり、携帯電話機１が閉じた状態から開いた状態に遷移したり、ユーザにより解除操作が行われたりした場合は、静電パッド１４による入力を有効にする。これにより、携帯電話機１に着信があった際に、ユーザが携帯電話機１を取り出そうとしたとき等に誤って静電パッド１４に接触があった場合であっても、携帯電話機１がこの入力に基づいてユーザが意図しない動作を行ってしまうことが防止される。
【００８６】
第３実施形態によると、複数の筐体が開閉自在に結合されてなるとともに上外に静電パッド１４が設けられている電子機器（携帯電話機１）において、着信時に静電パッド１４の誤入力を防止することが可能となる。
【００８７】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯カメラ機、携帯ゲーム機、携帯テレビ等、開閉自在に形成された電子機器であれば、任意の電子機器であって良い。
【図面の簡単な説明】
【００８８】
【図１】（Ａ）は、本発明に係る電子機器（携帯電話機）の閉じた状態を示す斜視図、（Ｂ）は、本発明に係る電子機器（携帯電話機）の開いた状態を示す斜視図。
【図２】本発明に係る電子機器（携帯電話機）を示す機能ブロック図。
【図３】（Ａ）及び（Ｂ）は、上筐体及び下筐体に内蔵された複数のホールＩＣと磁石とを用いて、本発明に係る電子機器（携帯電話機）の閉じた状態から開いた状態への変形を検知する方法を示す概略図。
【図４】（Ａ）及び（Ｂ）は、上筐体及び下筐体に内蔵された複数のホールＩＣと磁石とを用いて、本発明に係る電子機器（携帯電話機）の開いた状態から閉じた状態への変形を検知する方法を示す概略図。
【図５】（Ａ）及び（Ｂ）は、上筐体及び下筐体に内蔵されたホールＩＣと複数の磁石とを用いて、本発明に係る電子機器（携帯電話機）の閉じた状態から開いた状態への変形を検知する方法を示す概略図。
【図６】（Ａ）及び（Ｂ）は、上筐体及び下筐体に内蔵されたホールＩＣと複数の磁石とを用いて、本発明に係る電子機器（携帯電話機）の開いた状態から閉じた状態への変形を検知する方法を示す概略図。
【図７】（Ａ）は、ユーザが本発明に係る電子機器（携帯電話機）を開いた状態から閉じた状態へと変形させる直前の様子を示す概略図、（Ｂ）は、ユーザが本発明に係る電子機器（携帯電話機）を開いた状態から閉じた状態へと変形させた直後の様子を示す概略図。
【図８】第１実施形態の電子機器（携帯電話機）が静電パッド制御処理を行う際の手順を示すフローチャート。
【図９】第１実施形態の電子機器（携帯電話機）における静電パッド制御処理を説明するための図。
【図１０】第１実施形態の電子機器（携帯電話機）が静電パッド制御処理を行う際の手順を示すフローチャート。
【図１１】（Ａ）及び（Ｂ）は、第１実施形態の電子機器（携帯電話機）における静電パッド制御処理を説明するための図。
【図１２】第２実施形態の電子機器（携帯電話機）が静電パッド制御処理を行う際の手順を示すフローチャート。
【図１３】第２実施形態の電子機器（携帯電話機）における静電パッド制御処理を説明するための図。
【図１４】第２実施形態の電子機器（携帯電話機）が静電パッド制御処理を行う際の手順を示すフローチャート。
【図１５】（Ａ）及び（Ｂ）は、第２実施形態の電子機器（携帯電話機）における静電パッド制御処理を説明するための図。
【図１６】第３実施形態の電子機器（携帯電話機）が、静電パッド制御処理を行う際の手順を示すフローチャート。
【図１７】（Ａ）乃至（Ｃ）は、第３実施形態の電子機器（携帯電話機）が静電パッド制御処理を行う際の表示画面の一例を示す画面図。
【符号の説明】
【００８９】
１…携帯電話機，１０…上筐体，１１…下筐体，１２…ディスプレイ，１３…スピーカ，１４…静電パッド，１５…回転キー，１５ａ、１７…操作キー，１６…マイクロフォン，１７ａ…サイドキー，２０…主制御部，２１…電源回路部，２２…操作入力制御部，２３…表示制御部，２４…音声制御部，２５…通信制御部，２５ａ…アンテナ，２６…記憶部，２７…開閉検出部，３０、３０ａ、３０ｂ…ホールＩＣ，３１、３１ａ、３１ｂ…マグネット，４０…表示画面，４１…着信通知欄，４２…メニューボタン，４３…操作一覧提示欄，４４…拒否ボタン，４５…転送ボタン。
【図１】
2010114832.tif 000003
【図２】
2010114832.tif 000004
【図３】
2010114832.tif 000005
【図４】
2010114832.tif 000006
【図５】
2010114832.tif 000007
【図６】
2010114832.tif 000008
【図７】
2010114832.tif 000009
【図８】
2010114832.tif 000010
【図９】
2010114832.tif 000011
【図１０】
2010114832.tif 000012
【図１１】
2010114832.tif 000013
【図１２】
2010114832.tif 000014
【図１３】
2010114832.tif 000015
【図１４】
2010114832.tif 000016
【図１５】
2010114832.tif 000017
【図１６】
2010114832.tif 000018
【図１７】
2010114832.tif 000019